(57)【要約】【課題】ホテル等の館内・館外情報を各室に伝達する館内ＣＡＴＶシステムにおいて、視聴者が案内情報の迅速な入手を行えるよう、また、施設設置者が視聴者に迅速に案内したい事柄を伝達できるよう案内放送を行う。【解決手段】案内放送送出装置から館内ＣＡＴＶ伝送路を介して館内の各所に設置されたテレビジョン受像機にテレビジョン映像を送出する館内ＣＡＴＶシステムにおいて、案内放送送出装置は、ホテル等の館内・館外の各種案内を複数の映像並びに音声情報として構成する案内放送を繰返し送出するコンピュータ装置と、コンピュータ装置からの映像、音声信号をテレビジョン信号として館内ＣＡＴＶ伝送路に送出するテレビジョン変調器を有する。この案内放送送出装置を複数設置する事により、案内放送を細分化して送出し、各室に設置されるテレビジョン受像機等にて表示できる様に復調する案内放送受信装置を有する。【選択図】図１
2004248235.tif 000002
【特許請求の範囲】
【請求項１】
ホテル等の館内に設置した案内放送送出装置から館内ＣＡＴＶ伝送路を介して館内の各所に設置されたテレビジョン受像機にテレビジョン映像を送出する館内ＣＡＴＶシステムにおいて、
前述の案内放送送出装置は、ホテル等の館内・館外の各種案内を複数の映像並びに音声情報として構成する案内番組を繰返し送出するコンピュータ装置と、コンピュータ装置からの映像、音声信号をテレビジョン信号として館内ＣＡＴＶ伝送路に送出するテレビジョン変調器を有する事を特徴とする。
【請求項２】
館内・館外の各種案内を複数の映像並びに複数の音声情報として構成し、視聴者が必要な情報を迅速に入手出来る様に複数のコンピュータ装置並びに複数のテレビジョン変調器を要して分類された情報ごとに送出する事を特徴とする案内放送送出装置。
【請求項３】
前述の案内放送送出装置にて分類された情報ごとに送出されるテレビジョン信号変調された案内放送を受信し、テレビジョン受像機等にて表示できる様に復調する案内放送受信装置。
【発明の詳細な説明】
【０００１】
【発明の属する技術分野】
本発明は、ホテル、旅館、病院などの館内ＣＡＴＶシステムに係り、特に館内又は館外の案内情報を各室に伝達するために館内ＣＡＴＶ伝送路に接続される案内放送送出装置、並びに各室にてテレビジョン受像機等にテレビジョン映像を表示する案内放送受信装置に関する。
【０００２】
【従来の技術】
従来、ホテル等にて映像、音声情報を利用した案内放送を行うシステムとしては、単独のコンピュータ装置や、連結されたビデオテープ再生装置、光ディスク再生装置等を利用し、事前に決められたシーケンスに従って案内放送を送出するシステムが知られる。
【０００３】
このようなシステムでは、複数の画面で構成される案内情報を順送りにテレビジョン映像送出装置にて送出する。視聴者には各室に設置されたテレビジョン受像機等にて、送出された順序に従って順送りに伝達される。
【０００４】
【本発明が解決しようとする課題】
しかしながら、上述した従来の案内放送システムでは、複数の画面で構成される案内情報を、順送りにて案内放送が伝達するため、第一番の案内を見落した場合や、再度見たい場合に、案内放送の全てを見なければ第一番の案内まで廻ってこないため、視聴者は迅速に情報を入手できないという問題があった。また、施設設置者が視聴者に迅速に伝えたい事柄、例えば防災案内、催事情報等の場合でも、案内放送の伝達タイミングによっては、順番が廻ってくるまでに時間を要するため視聴者が見ないという事が考えられる。
【０００５】
本発明は、ホテル等の館内・館外情報を各室に伝達するシステムであり、視聴者が案内情報の迅速な入手を行えるよう、また、施設設置者が視聴者に迅速に案内したい事柄を伝達できるシステムを提供する事を目的とする。
【０００６】
【課題を解決するための手段】
上記の課題を解決するため、本発明は館内に設置した案内放送送出装置から館内ＣＡＴＶ伝送路を介して館内の各所に設置されたテレビジョン受像機にテレビジョン映像を送出する館内ＣＡＴＶシステムにおいて、案内放送送出装置は、ホテル等の館内・館外の各種案内を複数の映像並びに音声情報として構成する案内放送を繰返し送出するコンピュータ装置と、コンピュータ装置からの映像、音声信号をテレビジョン信号として館内ＣＡＴＶ伝送路に送出するテレビジョン変調器を有する。この案内放送送出装置を複数設置する事により、案内放送を細分化して送出し、各室に設置されるテレビジョン受像機等にて表示できる様に復調する案内放送受信装置を有する事を特徴とする。
【０００７】
このように本発明による案内放送送出装置を複数備える館内ＣＡＴＶシステムでは、視聴者に迅速に伝達したい事柄、例えば防災案内、ウェルカムメッセージや、案内放送全体の説明を行う主案内チャネル、情報チャネル−１、情報チャネル−２…と細分化する事により、前述の課題を解決することができる。
【０００８】
各室に設置される案内放送受信装置では、入室後初めて案内放送受信装置の電源を投入した時点で主案内チャネルを受信し、テレビジョン受像機等にて視聴者に案内放送を提供する。
【０００９】
案内放送受信装置の電源投入後、主案内チャネル受信時に、案内放送受信装置に対し他の情報チャネルを選択する操作を行った場合、選択した情報チャネルの受信を続け、選択した情報チャネルの視聴を行う事が出来る。また、他の一般放送や有料放送の選択を行った場合には選択したチャネルの受信を続け、視聴者の選択したチャネルの受信を続ける。
【００１０】
就寝や外出などで一定時間以上案内放送受信装置の電源を遮断していた場合には、入室後初めて案内放送受信装置の電源を投入した時と同じ様に主案内チャネルの受信を行う。この動作により、施設設置者が何らかの情報更新を行い、視聴者に迅速に伝えたい事柄、例えば朝食会場の変更などがあった場合に伝達する事が可能となる。
【００１１】
【発明の実施の形態】
以下、図面を参照して本発明の実施形態を説明する。
図１は本発明の一実施形態に係るホテル内の館内ＣＡＴＶシステムの概略構成を示す。この館内ＣＡＴＶシステムは、ホテル等の所定個所に設置された案内放送送出装置１と、客室２に設置されたテレビジョン受像機３と、案内放送受信装置４とをホテル内に敷設された館内ＣＡＴＶ伝送路５にて接続、構成される。
【００１２】
案内放送送出装置１には、主案内チャネルを送出するコンピュータ装置６、コンピュータ装置６から送出された映像信号及び音声信号をテレビジョン信号に変調するテレビジョン変調器７が、また、情報チャネル−１を送出するコンピュータ装置８、コンピュータ装置８から送出された映像信号及び音声信号をテレビジョン信号に変調するテレビジョン変調器９、情報チャネル−２を送出するコンピュータ装置１０、コンピュータ装置１０から送出された映像信号及び音声信号をテレビジョン信号に変調するテレビジョン変調器１１、情報チャネル−３を送出するコンピュータ装置１２、コンピュータ装置１２から送出された映像信号及び音声信号をテレビジョン信号に変調するテレビジョン変調器１３、テレビジョン変調器７、９、１１，１３から出力されるテレビジョン信号と館内テレビジョン共聴用送信設備１５からのテレビジョン信号を混合する混合器１４が含まれる。
【００１３】
客室２には、テレビジョン受像機３と案内放送受信装置４が設置され、案内放送受信装置４をホテル内に敷設された館内ＣＡＴＶ伝送路５に接続、案内放送送出装置１から送信されるテレビジョン信号に変調された複数の案内放送を受信すると共に、一般放送、有料放送などのテレビジョン信号を受信し、視聴者に提供する。
【００１４】
図２は主案内チャネルの画面構成の一例を示し、図３は情報チャネル−１の画面構成の一例を示す。同様に図４は情報チャネル−２、図５は情報チャネル−３を示す。図２では案内放送全体の構成や、防災情報、ウエルカムメッセージ等を伝達し、図３では催事関連情報等を伝達し、図４では宿泊関連情報等を伝達し、図５では飲食関連情報等を伝達する。
【００１５】
【発明の効果】
これまで説明したように、案内放送を主案内チャネル、情報チャネル−１、情報チャネル−２…と細分化する事によって、視聴者は必要とする情報を迅速に入手できるだけでなく、施設設置者は客室に設置される案内放送受信装置への電源投入時に表示され主案内チャネルにて視聴者に迅速に伝達したい事柄、例えば防災案内、臨時変更等の情報を伝えることが可能となり、施設設置者、施設利用者の利便性の向上を図ることができる。
【図面の簡単な説明】
【図１】本発明の一実施形態に係る館内ＣＡＴＶシステムの構成を示すブロック図
【図２】同実施形態における主案内チャネルの映像表示画面の例を示す図
【図３】同実施形態における情報チャネル−１の映像表示画面の例を示す図
【図４】同実施形態における情報チャネル−２の映像表示画面の例を示す図
【図５】同実施形態における情報チャネル−３の映像表示画面の例を示す図
【符号の説明】
１…案内放送送出装置
２…客室
３…テレビジョン受像機
４…案内放送受信装置
５…館内ＣＡＴＶ伝送路
６…主案内チャネル用コンピュータ装置
７…主案内チャネル用テレビジョン変調器
８…情報チャネル−１用コンピュータ装置
９…情報チャネル−１用テレビジョン変調器
１０…情報チャネル−２用コンピュータ装置
１１…情報チャネル−２用テレビジョン変調器
１２…情報チャネル−３用コンピュータ装置
１３…情報チャネル−３用テレビジョン変調器
１４…テレビジョン信号混合器
１５…館内テレビジョン共聴用送信設備
【図１】
2004248235.tif 000003
【図２】
2004248235.tif 000004
【図３】
2004248235.tif 000005
【図４】
2004248235.tif 000006
【図５】
2004248235.tif 000007